(57)【要約】【課題】雪国の冬場は木造家屋の屋根に大量の降雪で除雪は危険が伴い高齢者社会では苦慮しています、これを安全に除雪する装置を提供する。【解決手段】梁と桁を二重にして、上の桁から母屋と上棟木、構造用合板を垂木に接着し釘打ちした上にルーフィング敷コロニアル葺き上げの屋根を油圧で可動して積雪を滑落させる装置。【選択図】図１
2015190307.tif 000002
【特許請求の範囲】
【請求項１】
角材の一面にアイボルト収容のシャクリ溝を設け、その溝の終りにアイボルトの輪を収容の丸穴を掘り中心にＬボルト貫通穴を設ける、シリンダ固定ボルト貫通穴を設けた下梁を柱に嵌め、角材の一面に所要柱位置と短▲柄▼穴を設け、所要蝶番位置にボルト貫通穴を設けた下桁に蝶番をアイボルトで固定してＬボルトを柱に通しナット締めした柱を下桁に嵌め固定、角材の一面にシリンダ固定ボルト貫通穴と所要小屋束穴と短冊固定ボルト貫通穴を設けた上梁を下梁に乗せてボルトで固定、角材に所要蝶番位置にボルト貫通穴を設け垂木位置欠き取りの上桁を載て所要蝶番をボルトでそれぞれ固定、上梁に小屋束を入れ小屋梁を固定する、棟束を入れ棟木を嵌めて固定、角材にシリンダ固定ボルト穴を設け所要垂木位置欠き取りの母屋を載せて角材の二つ割り上棟木に垂木を配置し釘打ち固定し接着剤を塗布して構造用合板を釘打（７ｃｍ間隔）しルーフィング張りの上にコロニアル葺の１／２屋根、コロニアル山形棟は片側に固定する、同じ１／２で一棟となる可動屋根。
【請求項２】
前記小屋組屋根の母屋にシリンダの一端をボルト固定し他端を上梁にボルト固定し制御弁１、方向切り替え制御弁、高圧ポンプ、電動モータ、オイルタンク、制御弁２を配置固定して配管する（樋あんこうを外す）電動モータの操作で高圧ポンプから油路切替弁を通し制御弁からシリンダを可動すると一方の片側小屋組が可動し雪が滑落する、他方片側小屋組は切換弁の操作で油圧方向を変え他方が可動し雪が滑落する、降雪時に小屋裏が解放となり短期降雪時の処理は巻き込みビニールシートを設け排水出来る、降雪時でも可動が出来る、棟山形コロニアルに赤外線内臓監視カメラを設け室内でパソコンのモニターを見ながら屋根上の監視をする、天気予報の積雪情報によりタイマーのセッテイグ又は手動にて可動し大量の積雪を防止、安全に除雪する装置。
【発明の詳細な説明】
【技術分野】
【０００１】  本発明は勾配屋根の積雪を除去に関するものである。
【背景技術】
【０００２】  従来は勾配屋根に上って、人力で除去をするが、転倒事故が多発死亡事故もある昨今であり、高齢者社会では人手不足と危険性の高い除雪作業は、問題が多いものであります。
【発明の開示】
【発明が解決しようとする課題】
【０００３】  解決する問題点は、勾配屋根上での危険な除雪作業を無くすことである。
【課題を解決するための手段】
【０００４】  本発明は、このような問題点を解決しようとするもので、油圧装置で屋根を可動にして、除雪する装置とすることで、安全性が確保出来る工法を提供することを目的とする。【０００５】  本発明は、木構造の桁を二重にして、下の桁を固定し、上の桁の屋根部分を可動とし、接合部の一端を蝶番固定にし、油圧装置で可動する屋根となり、積雪が滑り落ちる事で屋根上の除雪となり、屋根上での作業を不要とする工法である。
【発明の効果】
【０００６】    本発明によれば、勾配屋根上での危険除雪作業が不要で何時でも屋根上が赤外線監視カメラにで確認し除雪が出来る、人件費の節約及び安全と安心に繋がるものである。
【実施例】
【０００７】    本発明の勾配屋根上除雪装置は、図１が示すように桁及び梁が上下二重になり、下の桁は固定、上の桁、母屋、棟木、二つ割り棟木、垂木、野地及びコロニアル仕上げの小屋組屋根（瓦棒葺、金属波板葺、スレート波板葺）が蝶番で棟から二分割して積雪を除雪する油圧可動装置。【０００８】    角材上側にアイボルＡｂ収容のシャクリ溝を設け溝の終りにアイボルトの輪を収容の丸穴を掘り中心にＬ形ボルトＬｂ貫通穴を設け、シリンダ固定ボルトＢ貫通穴を設け柱所要位置に▲柄▼穴を設け、真中にボルト貫通穴を設けた下の梁Ｈ１、角材一面に固定ボルトＢ貫通穴と小屋束位置▲柄▼穴を設けた上の梁Ｈ２、角材の上側にアイボルト貫通穴を設け、下側の所要柱位置に▲柄▼穴を設けた下桁Ｋ１、角材の下側にボルトｂ貫通穴を設けワッシャーＷ座堀を設け、上側角を所要垂木位置を斜め掻き取りの上桁Ｋ２、角材の所要束位置▲柄▼穴を設けた小屋梁Ｃ、▲柄▼を設けた棟木Ｍ１、二つ割り棟木Ｍ２、角材にシリンダ取り付けボルトｂ貫通穴を設け所要垂木位置欠き込みの母屋Ｍ３、棟束、小屋束Ｍ４、垂木Ｔａ、野地板Ｇ、短冊ｔ、ボルトＢ、蝶番ＣＹ、ルーフィングＲ、コロニアルＣｒ、山形コロニアルＹｃ、赤外線監視カメラＫｋ、モニターパソコン、樋外しソケットＳｔ。【０００９】    所要長で両端回転可能の鋼管シリンダーＡ１、制御弁Ｖ、方向切替制御弁、高圧ポンプＰ、電動モーターＭ、オイルタンクＡＴ、配管ｈｐ、パイプ受け十字プレートｇ、ビニールシートｂｓ、ビニールシート用パイプローラｒ、螺旋バネ入り巻き込みパイプＭＲ、パイプＭＲ取り付けＶ字プレートＵ、屋根の電動装置。【００１０】  柱ＨにＬボルトＬｂを差しワッシャーＷを入れナット締めして下梁Ｈ１に差し込み固定、シャクリ溝にアイボルトＡｂを入れ蝶番ＣＹを固定アイボルトの輪の穴にＬボルトを通しワッシャーを入れナット締め固定の下梁、所定の蝶番ＹＣ（９１０ｃｍ間隔）をそれぞれワッシャーをいれナット締めして固定の桁Ｋ１を固定する、上梁Ｈ２を下梁Ｈ１に戴せシリンダＡ１をはめボルトＢで締め固定、下桁１に上桁Ｋ２を載せて蝶番ＣＹをそれぞれワッシャーＷを入れてボルトｂで締め固定する、小屋束を差し込み小屋梁を固定し棟木Ｍ１を固定、母屋Ｍ３を小屋梁Ｃに載せて所要垂木Ｔａを上桁Ｋ２母屋Ｍ３上棟木Ｍ２に接着剤塗布しそれぞれ釘止め固定の垂木に接着剤を塗布し広小舞ｈ１と鼻隠ｈ２と構造用合板Ｇを接着（７ｃｍ間隔）釘打ち固定しルーフィングを敷き込みコロニアルＣｒ葺（瓦棒葺き及び金属波板、スレート波板葺）の１／２屋根、コロニアル山形棟Ｙｃは片側屋根に固定する、同じ１／２で一棟となる可動屋根。【００１１】  前記小屋組みの上梁Ｈ２上に鋼管シリンダＡ１の一端をボルトで固定、他端を母屋Ｍ３にボルト固定、上梁Ｈ２に制御弁Ｖ、方向切替制御弁ｋｂ、油圧ポンプＰ、電動モータＭＯ、下梁Ｈ１にオイルタンクＡｔ、をそれぞれ配置し固定、配管ｈＰをして室内で電動可動の装置、螺旋巻き込みパイプＭｒにビニールシートｂｓを巻き一端をを固定しパイプローラーｒを通し母屋Ｍ３に固定する、母屋Ｍ３が移動して上がるとビニールシートも同時に引き上げられて降雪中でも小屋裏を覆いオープンの小屋裏の融雪をパイプローラｒの��端の勾配が融雪の排水をする装置。【００１２】  前記装置は、天気予報の積雪情報からタイマーのセットで自動的に可動、赤外線監視カメラのパソコンのモニターで監視大量の積雪を防止する、屋根の積雪を自動と手動の除去装置。
【産業上の利用可能性】
【００１３】  上述の発明は、屋根上の積雪の除去を安全と安心人手不足の解消で利用は高いものです。
【図面の簡単な説明】
【００１４】
【図１】小屋組みの詳細図と外観である。
【図２】油圧回路記号である。
【図３】可動桁と梁の詳細図である。
【符号の説明】
【００１５】Ｈ……木柱
Ｈ１…下梁
Ｈ２…上梁
Ｋ１…下桁
Ｋ２…上桁
Ｍ１…下棟木
Ｍ２…上１／２棟木
Ｍ３…母屋
Ｃ……小屋梁
Ｃｔ…小屋束、棟束
Ｔａ…角材二つ割垂木
ｈ１…広小舞、ｈ２…鼻隠
Ｇ……野地構造用合板
ｔ……短冊金物
ｇ……十字金物
ＭＲ…バネ内臓式巻き取りパイプ
Ｕ……バネ内臓式巻き取りパイプ受け
ＬＢ…Ｌ形ボルト
Ｂ……上下梁固定ボルト（シリンダ）
Ａｂ…蝶番固定アイボルト
ｂ……蝶番固定ボルト
Ｃｒ…コロニアル屋根板（Ｙｃ山形棟コロニアル）
Ａ１…シリンダ、Ａ２…シリンダ
Ｖ……制御井
Ｋｂ…方向切替制御弁
Ｐ……電動高圧ポンプ
Ｍ……電動モータ
ＡＴ…オイルタンク
ｈＰ…配管パイプ
ｂｓ…ビニールシート
Ｓ…樋取りはづし自在ソケット
Ｋｋ…赤外線監視カメラ（パソコンとセット）
【図１】
2015190307.tif 000003
【図２】
2015190307.tif 000004
【図３】
2015190307.tif 000005